(57)【特許請求の範囲】
【請求項１】
コンクリート表面に発生する微細な亀裂内に挿入されて当該亀裂幅を測定するために使用されるクラックゲージにおいて、
円弧状の外周縁を有する薄板状体であってその外周縁の厚みが最小厚み部から当該外周縁の円周方向に向けて所定の増加度合いで漸増するゲージ本体と、
そのゲージ本体の板面の外周縁に隣接して設けられる複数の目盛線を有し、それぞれの目盛線の存在位置における前記ゲージ本体の外周縁の厚みを示したスケール部とを備えており、
前記ゲージ本体の外周縁の厚みが次式（１）及び（２）により決定されるものであることを特徴とするクラックゲージ。
ｔ＝Ａ・ｓｉｎ（θ−９０°）＋（Ａ＋ｔmin）  ・・・  （１）
Ａ＝（ｔmax−ｔmin）／２  ・・・  （２）
ただし、上記式（１）、（２）において、ｔはゲージ本体の外周縁の厚み、ｔmaxはゲージ本体の最大厚み部の厚み、ｔminはゲージ本体の最小厚み部の厚み、θはゲージ本体の一方の板面の中心角変位、「・」は乗算演算子、「／」は除算演算子、θの変化範囲は−１８０°≦θ≦１８０°、θ＝０は最小厚み部の位置に相当し、θ＝１８０°，−１８０°は最大厚み部の位置に相当する。
【請求項２】
前記ゲージ本体は、前記スケール部を除く箇所に、そのゲージ本体の厚み方向に光を透過して拡大視させる拡大レンズ部が設けられていることを特徴とする請求項１記載のクラックゲージ。
【請求項３】
前記ゲージ本体は、透明材料を用いて形成されており、前記拡大レンズ部が一体成形されていることを特徴とする請求項２記載のクラックゲージ。
【発明の詳細な説明】
【技術分野】
【０００１】
本発明は、コンクリート構造物の表面に発生する亀裂内に挿入されて亀裂幅を測定するために使用されるクラックゲージに関するものである。
【背景技術】
【０００２】
道路の橋梁等のコンクリート構造物では、塩害や中性化などが原因で発生した鉄筋腐食によりコンクリート表面に亀裂（コンクリート表面に生じた隙間を含む。以下同じ。）が生じる。このため、コンクリート構造物の保守管理においては、コンクリート表面に亀裂が存在するか否かを調査し、亀裂を発見した際には、その後の補修計画を策定するために、亀裂の幅や長さなどを測定する作業が行われている。
【０００３】
例えば、亀裂幅の測定に関しては、一般的に、クラックスケールやスケールルーペなどの測定器具がコンクリート表面に直接当てられた状態で、これらの器具に備わる目盛線とコンクリート表面に現われる亀裂の平面的な輪郭とが対比されて、その亀裂の平面的な輪郭の幅が、亀裂幅の測定値として目盛線から目視により読み取られている。
【先行技術文献】
【特許文献】
【０００４】
【特許文献１】実用新案登録第３１３５２４７号公報
【特許文献２】実開平２−７５０３号公報
【発明の概要】
【発明が解決しようとする課題】
【０００５】
しかしながら、上記した亀裂幅の測定では、照射される光の具合等により亀裂の平面的な輪郭像の境界が不鮮明であったりすると、目盛線の読み取り結果が不正確となり易いという問題点があった。また、特に、１ｍｍ未満の亀裂幅の測定においては、測定者が異なる場合に亀裂幅の読み取り結果にバラツキが生じ易く、測定結果が一定しないという問題点があった。
【０００６】
これに対し、必ずしもコンクリート表面の亀裂幅を測定するものではないが、上記特許文献１又は２に記載のテーパーゲージ又は測定具などの間隙幅の測定手段が提案されている。これらの測定手段は、上記したクラックスケールやスケールルーペとは異なり、それ自体を尖端側から間隙内に差し込んで差し止まった位置の目盛線を読み取ることで、それが挿入された間隙の幅を測定するものである。
【０００７】
ところが、これら特許文献１又は２に記載の測定手段はいずれも、長尺状かつ楔状の定規を間隙に深く差し込んで間隙幅を測定するものであり、コンクリート内で深さ方向に曲がっていたり又はガタガタした格好で複雑に変化する特殊な構造を有したコンクリート表面に生じる微細な亀裂内へは深く差し込めず、かかる亀裂幅を測定できないという問題点があった。
【０００８】
本発明は、上述した問題点を解決するためになされたものであり、微細な亀裂でもより正確に亀裂幅を測定できるクラックゲージを提供することを目的としている。
【課題を解決するための手段】
【０００９】
この目的を達成するために請求項１のクラックゲージは、コンクリート表面に発生する微細な亀裂内に挿入されて当該亀裂幅を測定するために使用されるものであり、円弧状の外周縁を有する薄板状体であってその外周縁の厚みが最小厚み部から当該外周縁の円周方向に向けて所定の増加度合いで漸増するゲージ本体と、そのゲージ本体の板面の外周縁に隣接して設けられる複数の目盛線を有し、それぞれの目盛線の存在位置における前記ゲージ本体の外周縁の厚みを示したスケール部とを備えており、前記ゲージ本体の外周縁の厚みが次式（１）及び（２）により決定されるものである。
ｔ＝Ａ・ｓｉｎ（θ−９０°）＋（Ａ＋ｔmin）  ・・・  （１）
Ａ＝（ｔmax−ｔmin）／２  ・・・  （２）
ただし、上記式（１）、（２）において、ｔはゲージ本体の外周縁の厚み、ｔmaxはゲージ本体の最大厚み部の厚み、ｔminはゲージ本体の最小厚み部の厚み、θはゲージ本体の一方の板面の中心角変位、「・」は乗算演算子、「／」は除算演算子、θの変化範囲は−１８０°≦θ≦１８０°、θ＝０は最小厚み部の位置に相当し、θ＝１８０°，−１８０°は最大厚み部の位置に相当する。
【００１０】
また、本発明の変形例のクラックゲージは、亀裂内に挿入されて亀裂幅を測定するために使用されるものであり、円弧状の外周縁を有する薄板状体であってその外周縁の厚みが最小厚み部から当該外周縁の円周方向に向けて所定の増加度合いで漸増するゲージ本体と、そのゲージ本体の外周縁に隣接して設けられる複数の目盛線を有し、それぞれの目盛線の存在位置における前記ゲージ本体の外周縁の厚みを示したスケール部とを備えていることを前提とするものであり、前記ゲージ本体は、円形板状に形成された薄板状体であって、その一方の板面が他方の板面に対して一定角度を成して傾斜した形状に形成され、この傾斜角度に基づいて、当該ゲージ本体の外周縁の厚みの円周方向に向けた前記増加度合いが決定されるものであっても良い。
【００１１】
また、本発明の別の変形例のクラックゲージは、亀裂内に挿入されて亀裂幅を測定するために使用されるものであり、円弧状の外周縁を有する薄板状体であってその外周縁の厚みが最小厚み部から当該外周縁の円周方向に向けて所定の増加度合いで漸増するゲージ本体と、そのゲージ本体の外周縁に隣接して設けられる複数の目盛線を有し、それぞれの目盛線の存在位置における前記ゲージ本体の外周縁の厚みを示したスケール部とを備えていることを前提とするものであり、前記ゲージ本体は、円形板状に形成された薄板状体であって、その一方の板面が他方の板面に対して所定角度を成して傾斜した形状に形成され、当該ゲージ本体の外周縁の厚みが次式（１）及び（２）により決定されるものであっても良い。
【００１２】
ｔ＝Ａ・ｓｉｎ（θ−９０°）＋（Ａ＋ｔmin）  ・・・  （１）
Ａ＝（ｔmax−ｔmin）／２  ・・・  （２）
【００１３】
ただし、上記段落００１２に記載した式（１）、（２）において、ｔはゲージ本体の外周縁の厚み、ｔmaxはゲージ本体の最大厚み部の厚み、ｔminはゲージ本体の最小厚み部の厚み、θはゲージ本体の一方の板面の中心角変位、「・」は乗算演算子、「／」は除算演算子、θの変化範囲は−１８０°≦θ≦１８０°、θ＝０は最小厚み部の位置に相当し、θ＝１８０°，−１８０°は最大厚み部の位置に相当する。
【００１４】
請求項２のクラックゲージは、請求項１のクラックゲージにおいて、前記ゲージ本体は、前記スケール部を除く箇所に、そのゲージ本体の厚み方向に光を透過して拡大視させる拡大レンズ部が設けられている。
【００１５】
請求項３のクラックゲージは、請求項２のクラックゲージにおいて、前記ゲージ本体は、透明材料を用いて形成されており、前記拡大レンズ部が一体成形されている。
【００１６】
この請求項１から３のクラックゲージによれば、例えば、ゲージ本体の外周縁の最小厚み部が亀裂内に挿入されて、この最小厚み部が亀裂内にぴったり嵌って合致すれば、この最小厚み部の厚みと亀裂幅とが一致するので、この最小厚み部の厚みが、スケール部の目盛線から亀裂幅の測定値として読み取られる。
【００１７】
一方、挿入されたゲージ本体の最小厚み部と亀裂との間に隙間があるようならば、その亀裂幅は最小厚み部の厚み以上あるので、当該ゲージ本体をその外周縁の周方向に回すことにより、亀裂内に挿入される外周縁の箇所、即ち、外周縁の厚みが変えられる。
【００１８】
これにより、亀裂幅に合致する外周縁の箇所が探し出されたならば、そのときの外周縁の箇所の厚みが亀裂幅と一致するので、この外周縁の箇所の厚みが、スケール部の目盛線から亀裂幅の測定値として読み取られる。
【発明の効果】
【００１９】
本発明のクラックゲージによれば、亀裂内にゲージ本体の外周縁を直接挿入することにより当該外周縁の厚みと亀裂幅とを直接比較した結果、当該亀裂幅に合致した外周縁の厚みをスケール部の目盛線を介して読み取るので、従来のクラックスケールやスケールルーペのように亀裂の平面的な輪郭の幅を平面的に目視により測定することに起因する測定誤差を解消でき、微細な亀裂でもより正確に亀裂幅を測定できるという効果がある。
【００２０】
また、ゲージ本体は、その外周縁が円周方向に沿って厚みが最小厚み部から最大厚み部へと漸増するように形成されるので、このゲージ本体の外周縁の中のごく一部の先端部（ゲージ本体の外周縁とコンクリート表面との接点部近傍）のみを亀裂内に僅かに挿入するだけで、亀裂幅の測定を行えるという効果がある。
【００２１】
したがって、亀裂幅を測定する場合に、ゲージ本体を亀裂内に深く差し込む必要がないので、コンクリート表面に生じる微細な亀裂が深さ方向に曲がっていたり又はガタガタした格好で複雑に変化した構造であっても、何の支障もなく、その亀裂幅を測定できるという効果がある。
【図面の簡単な説明】
【００２２】
【図１】本発明の一実施例であるクラックゲージの平面図である。
【図２】図１のＩＩ−ＩＩ線におけるクラックゲージの側面図である。
【図３】（ａ）は、ゲージ本体の板面の展開図であり、（ｂ）は、ゲージ本体の側周面に相当する外周縁の展開図であり、（ｃ）は、ゲージ本体の中心角変位に対するゲージ本体の外周縁の厚みの変化を示したグラフである。
【図４】クラックゲージを用いて亀裂幅を測定する状態を示した図であり、（ａ）は、クラックゲージが亀裂内に挿入された状態を示した側面図であり、（ｂ）は、（ａ）のＢ−Ｂ線における拡大断面図である。
【図５】（ａ）は、図４（ａ）に示した状態における平面図であり、（ｂ）は、図４（ａ）のＶＢ部の部分拡大図である。
【図６】（ａ）は、クラックゲージの挿入対象部位の厚みが亀裂幅より小さい場合におけるクラックゲージ及び亀裂の状態を示した拡大断面図であり、（ｂ）は、（ａ）の状態におけるクラックゲージの側面図である。
【図７】（ａ）は、クラックゲージの挿入対象部位の厚みが亀裂幅より大きい場合におけるクラックゲージ及び亀裂の状態を示した拡大断面図であり、（ｂ）は、（ａ）の状態におけるクラックゲージの側面図である。
【図８】（ａ）は、クラックゲージの変形例の側面図であり、（ｂ）は、（ａ）のＢ部における拡大図であり、（ｃ）は、（ａ）のＣ−Ｃ線における拡大断面図である。
【発明を実施するための形態】
【実施例１】
【００２３】
以下、本発明の好ましい実施の形態について、添付図面を参照して説明する。図１は、本発明の一実施例であるクラックゲージ１の平面図である。
【００２４】
図１に示すように、クラックゲージ１は、平面視円形状の薄板体（図２参照。）で形成されたゲージ本体２を備えており、このゲージ本体２の一方の板面２ａ（図１の紙面手前側）には、このゲージ本体２の外周縁２ｃに沿って複数の目盛線３ａ及び数値表示３ｂから成るスケール部３が設けられている。
【００２５】
スケール部３は、複数の目盛線３ａの各々が示す位置、即ち、各目盛線３ａの存在位置におけるゲージ本体２の外周縁２ｃの厚みを示したものであり、主要な目盛線３ａにはその目盛線３ａの存在位置における外周縁２ｃの厚みを表わす数値表示３ｂも併設されている。
【００２６】
また、複数の目盛線３ａは、ゲージ本体２の外周縁２ｃの最小厚み部（図１中の点Ｓ）を示す目盛線３ａから最大厚み部（図１中の点Ｅ）へ向けて当該外周縁２ｃに沿って、当該外周縁２ｃの厚みが所定量増加する毎に刻まれている。
【００２７】
なお、本実施例のスケール部３には、最小厚み部の厚みである「０．１ｍｍ」を示す目盛線３ａ及び数値表示３ｂから、目盛線３ａが０．０５ｍｍおきに、数値表示３ｂが０．１ｍｍおきに、「１．０ｍｍ」を示す目盛線３ａ及び数値表示３ｂまで設けられている。これらの目盛線３ａ及び数値表示３ｂが設けられるべき位置は、下記する式（１）及び（２）に基づいて求めることもできる。
【００２８】
また、ゲージ本体２は、透明樹脂材料を用いた成型物であり、スケール部３の配設箇所を避けた箇所に拡大レンズ４が設けられている。この拡大レンズ４は、ゲージ本体２に一体的に樹脂成形された凸レンズであり、これを介して亀裂Ｃ等を拡大観察することができるようになっている。
【００２９】
図２は、図１のＩＩ−ＩＩ線におけるクラックゲージ１の断面図であり、ここで、ＩＩ−ＩＩ線は、ゲージ本体２の中心点（図１中の点Ｐ）、最小厚み部及び最大厚み部を通る直線である。また、図２に示した中心線Ｌは、ゲージ本体２の中心点（点Ｐ）を通り、ゲージ本体２の板面２ｂに対して直交する直線である。
【００３０】
図２に示すように、ゲージ本体２は、その表裏の板面２ａ，２ｂがいずれも平面状に形成されており、その一方の板面２ａが他方の板面２ｂに対して一定の傾斜角度αを成して傾斜されている。そして、このように傾斜角度αを設けることによって、ゲージ本体２は、最小厚み部から最大厚み部へ向けて厚みが漸増するように形成されている。
【００３１】
図３（ａ）は、ゲージ本体２の板面２ａの展開図であり、図３（ｂ）は、ゲージ本体２の側周面に相当する外周縁２ｃの展開図であり、図３（ｃ）は、ゲージ本体２の中心角変位θに対するゲージ本体２の外周縁２ｃの厚みの変化を示したグラフである。
【００３２】
図３（ａ）に示すように、ゲージ本体２の板面２ａは、ゲージ本体２の中心点を中心とした楕円形をしており、最小厚み部（点Ｓ）と最大厚み部（点Ｅ）とを結ぶ直線方向が長径方向に相当し、その長径方向に直交する直線方向が短径方向に相当している。なお、念のため、ゲージ本体２の板面２ｂは、ゲージ本体２の中心点を中心とした円形をしている（図１参照。）。
【００３３】
また、板面２ａの中心角変位θは、板面２ａの中心点（点Ｐ）と最小厚み部（点Ｓ）とを結ぶ始線ｍ１と、板面２ａの中心点（点Ｐ）と最小厚み部（点Ｓ）を始点として最大厚み部（点Ｅ）へ向けて板面２ａの外周縁２ｃ上を移動する点（点Ｑ）とを結ぶ動径ｍ２とが成す角であって、この中心角変位θの増減に応じてゲージ本体２の外周縁２ｃの厚みが増減するようになっている。
【００３４】
図３（ｂ）に示すように、クラックゲージ１の外周縁２ｃを展開した場合、当該クラックゲージ１は、そのゲージ本体２の外周縁２ｃの上側縁辺（板面２ａ側の縁辺）が１周期分の正弦波の輪郭を有し、かつ、当該外周縁２ｃの下側縁辺（板面２ｂ側の縁辺）が直線状の輪郭を有しており、その外周縁２ｃの厚み（ｔ）が、次式（１）及び（２）により決定される。
ｔ＝Ａ・ｓｉｎ（θ−９０°）＋（Ａ＋ｔmin）  ・・・  （１）
Ａ＝（ｔmax−ｔmin）／２  ・・・  （２）
【００３５】
ここで、上記式（１）、（２）において、ｔはゲージ本体２の外周縁２ｃの厚み、ｔmaxはゲージ本体２の最大厚み部の厚み、ｔminはゲージ本体２の最小厚み部の厚み、θはゲージ本体２の板面２ａの中心角変位、「・」は乗算演算子、「／」は除算演算子である。また、中心角変位θは−１８０°≦θ≦１８０°の範囲内で変化し、中心角変位θ＝０の位置が最小厚み部（点Ｓ）であって、中心角変位θ＝１８０°，−１８０°の位置が最大厚み部（点Ｅ）である。
【００３６】
なお、本実施例では、例えば、最小厚み部の厚みｔmin＝０．１ｍｍとされ、最大厚み部の厚みｔmax＝２ｍｍ〜３ｍｍとされている。
【００３７】
図３（ｃ）に示すように、ゲージ本体２の外周縁２ｃの厚み（ｔ）は、上記式（１）に示すように、ゲージ本体２の板面２ａの中心角変位θに関する正弦関数で表わされ、この中心角変位θが０°〜１８０°へ増加することで（又は０°〜−１８０°へ減少することで）、最小厚み部から最大厚み部へ向けて漸増するように形成されている。
【００３８】
また、ゲージ本体２の表裏面２ａ，２ｂが成す傾斜角度αは、次式（３）により表わされる。
α＝ｔａｎ−１（（ｔmax−ｔmin）／Ｄ）  ・・・  （３）
【００３９】
ここで、上記式（３）において、αはゲージ本体２の板面２ａが板面２ｂに対して成す傾斜角度（図２参照。）、Ｄはゲージ本体２の板面２ｂの直径である。
【００４０】
したがって、この上記式（３）を用いれば、上記式（２）で表わされる厚み（ｔ）の係数Ａは、次式（４）に示すように傾斜角度αを用いて表わされることから、ゲージ本体２の外周縁２ｃの厚み（ｔ）が最小厚み部から最大厚み部へと漸増する増加度合いは、ゲージ本体２の表裏面が成す傾斜角度α（図２参照。）に基づいて決定されるともいえる。
Ａ＝Ｄ・ｔａｎα  ・・・  （４）
【００４１】
図４及び図５は、クラックゲージ１を用いて亀裂幅を測定する状態を示した図であり、図４（ａ）は、クラックゲージ１が亀裂Ｃ内に挿入された状態を示した側面図であり、図４（ｂ）は、図４（ａ）のＢ−Ｂ線における拡大断面図であり、図５（ａ）は、図４（ａ）に示した状態における平面図であり、図５（ｂ）は、図４（ａ）のＶＢ部の部分拡大図である。
【００４２】
上記したようにクラックゲージ１は、ゲージ本体２の外周縁２ｃがその円周方向に沿って厚みが上記した増加度合いで最小厚み部から最大厚み部へと漸増するように形成されるので、図４（ａ）に示すように、このゲージ本体２の外周縁２ｃの中のごく一部の先端部（ゲージ本体２の外周縁２ｃとコンクリート表面との接点部近傍）のみを亀裂Ｃ内に僅かに挿入することにより、亀裂幅の測定することができる。
【００４３】
つまり、ゲージ本体２を亀裂Ｃ内に深く差し込まずに亀裂幅を測定できるので、図４（ｂ）に示すように、亀裂Ｃがコンクリート内で深さ方向に蛇行するように曲がっていても又はコンクリート内でガタガタした格好で複雑に変化していても、何の支障もなく亀裂幅を測定できる。
【００４４】
また、図４（ａ）に示すように、クラックゲージ１のゲージ本体２は、亀裂Ｃ内に挿入される部位（以下「挿入対象部位」という。）５が、ゲージ本体２の外周縁２ｃの先端部というごく僅かな部分であるので、図５（ａ）に示すように亀裂Ｃがコンクリート表面上で蛇行するように曲がって延びていても又はガタガタした格好で複雑に変化していても、何の支障もなく、当該挿入対象部位５を亀裂Ｃ内へ差し込むことができ、亀裂幅を測定できる。
【００４５】
また、図４（ｂ）に示すように、クラックゲージ１の挿入対象部位５の厚みが亀裂幅にぴったり合致する場合、当該挿入対象部位５の厚みが亀裂幅であることを意味しているので、そのときは、かかる挿入対象部位５の厚みが、亀裂幅の測定値として、図４（ａ）に示すスケール部３の目盛線３ａ及び数値表示３ｂを用いて読み取られる。
【００４６】
このスケール部３を用いた亀裂幅の読み取りは、図５（ｂ）に示すように、クラックゲージ１のゲージ本体２の外周縁２ｃとコンクリート表面とが交差する位置Ｃｒに相当する厚みが、目盛線３ａ及び数値表示３ｂから読み取られる。ここで、図５（ｂ）に示す場合における亀裂幅は「０．４５ｍｍ」と読み取ることができる。
【００４７】
図６（ａ）は、クラックゲージ１の挿入対象部位５の厚みが亀裂幅より小さい場合におけるクラックゲージ１及び亀裂Ｃの状態を示した拡大断面図であり、図６（ｂ）は、図６（ａ）の状態におけるクラックゲージ１の側面図である。
【００４８】
図６（ａ）に示すように、挿入対象部位５の厚みが亀裂幅に比べて小さい場合、挿入対象部位５と亀裂Ｃ内面との間には隙間が生じるため、図４（ｂ）に示すようには挿入対象部位５の厚みと亀裂幅とが合致していない。よって、かかる場合は、それより厚みが大きな挿入対象部位５を亀裂Ｃ内へ挿入すべく、図６（ｂ）に示す状態のクラックゲージ１を矢印Ｒ方向へ回して、亀裂Ｃ内へ挿入でき且つ亀裂幅に合致する挿入対象部位５をゲージ本体２の外周縁２ｃの中から探し出すのである。
【００４９】
図７（ａ）は、クラックゲージ１の挿入対象部位５の厚みが亀裂幅より大きい場合におけるクラックゲージ１及び亀裂Ｃの状態を示した拡大断面図であり、図７（ｂ）は、図７（ａ）の状態におけるクラックゲージ１の側面図である。
【００５０】
図７（ａ）に示すように、挿入対象部位５の厚みが亀裂幅に比べて大きい場合、かかる挿入対象部位５を亀裂Ｃ内に挿入できず、亀裂幅を測定できない。よって、かかる場合は、それより厚みが小さな挿入対象部位５を亀裂Ｃ内へ挿入すべく、図７（ｂ）に示す状態のクラックゲージ１を矢印Ｓ方向へ回して、亀裂Ｃ内へ挿入でき且つ亀裂幅に合致する挿入対象部位５をゲージ本体２の外周縁２ｃの中から探し出すのである。
【００５１】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５２】
例えば、上記実施例では、ゲージ本体全体を薄板状体に形成したが、当該ゲージ本体の形態は必ずしもこれに限定されるものではなく、例えば、図８に示すように、ゲージ本体の外周縁であって亀裂内に挿入される挿入対象部位となる先端部のみが円周方向に上記した増加度合いで厚みが増加する形状であっても良い。
【００５３】
なお、図８（ａ）は、クラックゲージの変形例の側面図であり、図８（ｂ）は、図８（ａ）のＢ部における拡大断面図であり、図８（ｃ）は、図８（ａ）のＣ−Ｃ線における断面図である。
【符号の説明】
【００５４】
１                    クラックゲージ
２                    ゲージ本体
２ａ，２ｂ            板面
２ｃ                  外周縁
３                    スケール部
３ａ                  目盛線
４                    拡大レンズ（拡大レンズ部）
Ｃ                    亀裂
Ｓ                    最小厚み部
α                    傾斜角度
【図１】
0005595091.tif 000002
【図２】
0005595091.tif 000003
【図３】
0005595091.tif 000004
【図４】
0005595091.tif 000005
【図５】
0005595091.tif 000006
【図６】
0005595091.tif 000007
【図７】
0005595091.tif 000008
【図８】
0005595091.tif 000009